(57)【要約】【課題】共振用インダクタと伝送インダクタとが一体化された一体型インダクタと、共振用コンデンサとから成る共振回路を備えたＬＥＤ点灯装置において、共振回路の設計が困難である。【解決手段】一体型インダクタが別部品に分離された共振用インダクタ１５と伝送用インダクタ１６と、第一の共振用コンデンサ１３と、伝送用インダクタ１６の１次側巻き線３０と並列に接続される第二の共振用コンデンサ１７とから共振回路５が構成されることにより、所望の共振特性を有する共振回路を得ることが容易になる。【選択図】図１
2014099309.tif 000002
【特許請求の範囲】
【請求項１】
発光素子を点灯させる点灯装置において、
交流電力を通電する第１のキャパシタと、
前記第１のキャパシタに対し直列に接続される第１のインダクタと、
前記第１のインダクタに対し直列に接続される第２のインダクタと、
前記第２のインダクタに対し並列に接続される第２のキャパシタとを有し、
前記第１のキャパシタと前記第１のインダクタと前記第２のインダクタと前記第２のキャパシタとにより、前記交流電力に対して共振する共振回路部と、
前記共振回路部の前記第２のインダクタとは電気的に接続されておらず、前記第２のインダクタが共振によって発生する磁束に応じた誘導電力が発生する第３のインダクタを有し、前記第３のインダクタに発生する誘導電力を用いて、前記発光素子を点灯させる点灯部と
を備えることを特徴とする点灯装置。
【請求項２】
前記共振回路部の前記第２のキャパシタは、前記第２のインダクタにのみ並列に接続されることを特徴とする請求項１記載の点灯装置。
【請求項３】
前記共振回路部は、
前記交流電力が供給される２つの被供給端子を備え、
前記第１のキャパシタの一方の端子が前記２つの被供給端子のうちの一方を形成し、前記第１のキャパシタの他方の端子に前記第１のインダクタの一方の端子が接続され、
前記第１のインダクタの他方の端子に前記第２のインダクタの一方の端子と前記第２のキャパシタの一方の端子とが接続され、
前記第２のインダクタの他方の端子と前記第２のキャパシタの他方の端子とが接続されて前記２つの被供給端子のうちの他方を形成していることを特徴とする請求項１又は２記載の点灯装置。
【請求項４】
前記共振回路部の前記第２のインダクタと、前記点灯部の前記第３のインダクタとは、前記第２のインダクタを１次側巻き線とし、前記第３のインダクタを２次側巻き線としたトランスを構成し、
前記共振回路部の前記第１のインダクタは、前記トランスとは別の独立した部品として分離されていることを特徴とする請求項１〜３いずれか記載の点灯装置。
【請求項５】
前記点灯部は、
共振によって前記第３のインダクタに発生する誘導電力を全波整流し、全波整流した誘導電力を前記発光素子に供給する全波整流回路を有することを特徴とする請求項１〜４いずれか記載の点灯装置。
【請求項６】
前記点灯部は、
前記全波整流回路として、前記第３のインダクタに対し並列に接続されるダイオードブリッジ回路を有することを特徴とする請求項５記載の点灯装置。
【請求項７】
前記点灯部は、
前記全波整流回路として、センタータップを備えた前記第３のインダクタと、前記第３のインダクタの両端のそれぞれに接続された２つのダイオード素子とから構成される回路を有することを特徴とする請求項５記載の点灯装置。
【請求項８】
前記点灯装置は、
前記発光素子としてＬＥＤを点灯させることを特徴とする請求項１〜７いずれか記載の点灯装置。
【請求項９】
請求項１〜８のいずれか記載の点灯装置を備えることを特徴とする照明器具。
【発明の詳細な説明】
【技術分野】
【０００１】
本発明は、点灯装置及び照明器具に関するものである。本発明は、特に、ＬＥＤの点灯装置に関するものである。
【背景技術】
【０００２】
共振用コンデンサと共振用インダクタと伝送インダクタとからなる共振回路で交流の電圧値を調整し、この交流電圧を整流した直流電圧によって、ＬＥＤを点灯する技術が知られている（例えば、特許文献１）。
【先行技術文献】
【特許文献】
【０００３】
【特許文献１】特表２００８−５２２２１１号公報
【発明の概要】
【発明が解決しようとする課題】
【０００４】
従来は、共振用インダクタと伝送インダクタとが一体型のインダクタ（以降、共振用インダクタと伝送インダクタとが一体型のインダクタを「一体型インダクタ」と称する）で構成されている。共振用インダクタは一体型インダクタのリーケージインダクタンスを利用するが、共振回路で必要とするインダクタンス値（Ｌ値）を得るためには、汎用部品でない特殊なコアを使用してリーケージインダクタ（漏れインダクタ）を生成する必要があり、一体型インダクタが大型になるという課題がある。
また、リーケージインダクタのインダクタンス値を管理するのは難しく、所望のインダクタンス値に対して公差が大きくなるため、共振回路の設計が困難になるという課題がある。
更に、一体型インダクタと、一体型インダクタに直列に接続された共振用コンデンサのみで共振回路を設計しなくてはならず、共振回路の設計が困難になるという課題がある。
【０００５】
本発明は、例えば、共振回路の設計が容易な点灯装置を得ることを主な目的とする。
【課題を解決するための手段】
【０００６】
本発明に係る点灯装置は、
発光素子を点灯させる点灯装置において、
交流電力を通電する第１のキャパシタと、
前記第１のキャパシタに対し直列に接続される第１のインダクタと、
前記第１のインダクタに対し直列に接続される第２のインダクタと、
前記第２のインダクタに対し並列に接続される第２のキャパシタとを有し、
前記第１のキャパシタと前記第１のインダクタと前記第２のインダクタと前記第２のキャパシタとにより、前記交流電力に対して共振する共振回路部と、
前記共振回路部の前記第２のインダクタとは電気的に接続されておらず、前記第２のインダクタが共振によって発生する磁束に応じた誘導電力が発生する第３のインダクタを有し、前記第３のインダクタに発生する誘導電力を用いて、前記発光素子を点灯させる点灯部とを備えることを特徴とする。
【発明の効果】
【０００７】
本発明に係る点灯装置は、第１のキャパシタに加え、第２のキャパシタを有することで、共振回路の特性を調整することが両者のキャパシタにより可能である為、共振回路の設計が容易になる。
【図面の簡単な説明】
【０００８】
【図１】実施の形態１を示す図で、点灯装置の第１の構成を示す図。
【図２】実施の形態１を示す図で、一体型インダクタを使用した点灯装置の構成を示す図。
【図３】実施の形態１を示す図で、共振回路の共振特性を示す図。
【図４】実施の形態１を示す図で、第二の共振用コンデンサがない場合の負荷インピーダンス変動に対する共振特性を示す図。
【図５】実施の形態１を示す図で、第二の共振用コンデンサがある場合の負荷インピーダンス変動に対する共振特性を示す図。
【図６】実施の形態２を示す図で、点灯装置の第２の構成を示す図。
【図７】実施の形態３を示す図で、点灯装置の第３の構成を示す図。
【発明を実施するための形態】
【０００９】
実施の形態１．
実施の形態１において、点灯装置の第１の構成を説明する。
【００１０】
（点灯装置の構成）
図１は、点灯装置の第１の構成を示す図である。
点灯装置１００は、電源整流回路２、アクティブフィルタ回路３、インバータ回路４、共振回路５（共振回路部）、点灯部５０、電流検出抵抗９、インバータ制御回路１０を備える。インバータ制御回路１０は、例えばＩＣ（集積回路）化されたマイクロコンピュータである。
【００１１】
インバータ回路４は、第一のスイッチング素子１１と第二のスイッチング素子１２とを備える。インバータ回路４は、高周波数の交流電力を発生する。
【００１２】
共振回路５は、第一の共振用コンデンサ１３（第１のキャパシタ）と共振用インダクタ１５（第１のインダクタ）と第二の共振用コンデンサ１７（第２のキャパシタ）と伝送用インダクタ１６（トランス）の１次側巻き線３０（第２のインダクタ）とを備える。共振回路５には、インバータ回路４により発生された交流電力が供給される。そして、第一の共振用コンデンサ１３と共振用インダクタ１５と第二の共振用コンデンサ１７と伝送用インダクタ１６の１次側巻き線３０とにより、インバータ回路４により供給された交流電力に対して共振する。
【００１３】
１次側巻き線３０と後述の２次側巻き線３１とは伝送用インダクタ１６を構成する。１次側巻き線３０と２次側巻き線３１とは電気的に接続されておらず、２次側巻き線３１には、１次側巻き線３０が共振によって発生する磁束に応じた誘導電力が発生する。ここで、共振用インダクタ１５と伝送用インダクタ１６とは各々が独立した部品に分かれている。すなわち、共振用インダクタ１５は、伝送用インダクタ１６とは別の独立した部品として分離されている。その為、共振用インダクタ１５と伝送用インダクタ１６との間に他の部品を接続することが可能であり、共振回路５においては、共振用インダクタ１５の出力の一端に、伝送用インダクタ１６と並列に第二の共振用コンデンサ１７が接続されている。換言すると、第二の共振用コンデンサ１７は、共振用インダクタ１５の出力とグランドとの間に接続されている。
そして、伝送用インダクタ１６は、第二の共振用コンデンサ１７と並列に接続される。詳細には、伝送用インダクタ１６の１次側巻き線３０は、第二の共振用コンデンサ１７と並列に接続される。
【００１４】
第一の共振用コンデンサ１３は、第一のスイッチング素子１１と第二のスイッチング素子１２との接続点（中点）に接続（直列接続）されている。
そして、第一の共振用コンデンサ１３はインバータ回路４により発生された交流電力を通電する。
共振用インダクタ１５は、第一の共振用コンデンサ１３に対し直列に接続される。伝送用インダクタ１６の１次側巻き線３０は、共振用インダクタ１５に対し直列に接続される。第二の共振用コンデンサ１７は、伝送用インダクタ１６の１次側巻き線３０に対し並列に接続される。換言すると、第二の共振用コンデンサ１７は、伝送用インダクタ１６の１次側巻き線３０にのみ並列に接続される。
【００１５】
共振回路５の構成を更に詳細に説明する。
共振回路５は、インバータ回路４により発生された交流電力が供給される２つの被供給端子である被供給端子５１ａと被供給端子５１ｂとを備える。
第一の共振用コンデンサ１３の一方の端子が２つの被供給端子のうちの一方（被供給端子５１ａ）を形成し、第一の共振用コンデンサ１３の他方の端子に共振用インダクタ１５の一方の端子が接続される。
また、共振用インダクタ１５の他方の端子に伝送用インダクタ１６の１次側巻き線３０の一方の端子と第二の共振用コンデンサ１７の一方の端子とが接続される。
そして、伝送用インダクタ１６の１次側巻き線３０の他方の端子と第二の共振用コンデンサ１７の他方の端子とが接続されて２つの被供給端子のうちの他方（被供給端子５１ｂ）を形成している。
【００１６】
点灯部５０は、伝送用インダクタ１６の２次側巻き線３１（第３のインダクタ）と負荷整流回路６と平滑用コンデンサ７とを備える。点灯部５０は、２次側巻き線３１に発生する誘導電力を用いて、ＬＥＤ光源８を点灯させる。
【００１７】
ＬＥＤ光源８は、１つ以上のＬＥＤ（発光素子）から構成される。ここで、ＬＥＤは、直流により発光する発光素子である。なお、直流は、電流の流れる方向が一定（時間によって変化しない）であり、直流には脈流も含まれる。
そして、点灯装置１００は、発光素子としてＬＥＤ光源８（１つ以上のＬＥＤ）を点灯させる。つまり、点灯装置１００は、ＬＥＤ光源８（１つ以上のＬＥＤ）を発光素子とする照明器具２００に備えられる。換言すると、照明器具２００は、点灯装置１００とＬＥＤ光源８とを備える。
【００１８】
（点灯装置の動作）
点灯装置１００を構成する各部の動作について説明する。
【００１９】
（電源整流回路２とアクティブフィルタ回路３との動作）
点灯装置１００は、商用電源１に接続される。商用電源１は、例えばコンセントなどの交流電源である。
電源整流回路２は、ノイズフィルタとダイオードブリッジとで構成され、商用電源１から交流が供給され、供給された交流のノイズを除去し、更に、整流を行ってアクティブフィルタ回路３に出力する。
【００２０】
アクティブフィルタ回路３は、電源整流回路２により出力された出力電圧の変化に応じて（出力波形に沿って）スイッチングを行うことで、電源整流回路２により出力された出力電圧を所定の直流電圧に昇圧する。また、アクティブフィルタ回路３は、電源整流回路２により出力された出力電流の位相を調整することで（電流波形を整形することで）力率を改善し、また、高調波を抑制する。そして、アクティブフィルタ回路３は、力率が改善され、高調波が抑制された所定の直流電圧をインバータ回路４に出力する。
【００２１】
すなわち、電源整流回路２とアクティブフィルタ回路３とは、直流をインバータ回路４に供給する。
【００２２】
（インバータ回路４と共振回路５との動作）
インバータ回路４（第一のスイッチング素子１１と第二のスイッチング素子１２）は、アクティブフィルタ回路３で昇圧された直流電圧から高周波電圧（交流電力）を発生させる。
【００２３】
具体的には、インバータ回路４は、ＬＥＤ光源８に調光目標の電流値の電流が供給されるように、インバータ制御回路１０の制御を受ける。ここで、調光目標の電流値とは、調光目標のＬＥＤ光源８の照度（照明器具の照度）を得るために、ＬＥＤ光源８に流すことが必要な電流値である。なお、調光目標の電流値は、当該調光目標の電流値に比例する電圧である基準の電圧（後述）として設定される。
インバータ制御回路１０は、インバータ回路４の制御を行うための、所定の周波数と所定のデューティー比との矩形波電圧を生成する。
【００２４】
そして、第一のスイッチング素子１１と第二のスイッチング素子１２とは、インバータ制御回路１０により、インバータ制御回路１０が生成した矩形波電圧がスイッチング素子間で逆極性となるように印加される。
そして、第一のスイッチング素子１１と第二のスイッチング素子１２とは、インバータ制御回路１０が生成した矩形波電圧に応じて交互にスイッチングする。その為、インバータ回路４は、インバータ制御回路１０が生成した矩形波電圧に応じた高周波電圧（交流）を発生する。換言すると、インバータ回路４は、電源整流回路２とアクティブフィルタ回路３とにより供給される直流を、インバータ制御回路１０の制御に応じた特性の高周波電圧（交流）、すなわち、インバータ制御回路１０により設定された数値（周波数およびデューティー比）の特性を有する高周波電圧（交流）に変換する。
【００２５】
共振回路５は、第一の共振用コンデンサ１３と共振用インダクタ１５と第二の共振用コンデンサ１７と伝送用インダクタ１６の１次側巻き線３０とにより決定される共振特性（インピーダンスの周波数特性）を有する。
【００２６】
そして、共振回路５には、インバータ回路４の出力電圧が印加され、印加された出力電圧の周波数における共振回路５のインピーダンスに応じた電流が流れる。
伝送用インダクタ１６は、１次側巻き線３０と２次側巻き線３１とを備え、１次側巻き線３０と２次側巻き線３１とが電気的に絶縁された絶縁トランスである。
伝送用インダクタ１６は、１次側巻き線３０に流れる電流に応じた電圧を２次側巻き線３１に出力する。
つまり、共振回路５は、共振特性を利用して、インバータ回路４により変換された交流の大きさ（交流電圧）を、当該交流の周波数に応じて変更している。
換言すると、共振回路５は、インバータ制御回路１０の制御に応じて、点灯装置１００の点灯部５０に出力される交流の特性（電圧）を調整している。
共振回路５は伝送用インダクタ１６により、１次側と２次側とが絶縁されているので、絶縁型の共振回路とも称する。
【００２７】
すなわち、インバータ回路４と共振回路５とは、電源整流回路２とアクティブフィルタ回路３とにより供給される直流を、インバータ制御回路１０の制御を受けることにより、当該制御に応じた特性（周波数、デューティー比、電圧）の交流に変換する。
【００２８】
（負荷整流回路６と平滑用コンデンサ７とＬＥＤ光源８との動作）
負荷整流回路６は、全波整流回路である。具体的には、負荷整流回路６は、４つのダイオードからなるダイオードブリッジ回路である。
負荷整流回路６は、伝送用インダクタ１６の２次側巻き線３１に対し並列に接続される。
負荷整流回路６は、共振回路５により大きさが変更され、伝送用インダクタ１６の２次側巻き線３１から出力された交流（誘導電力）を整流して、脈流に変換する回路である。更に、具体的には、負荷整流回路６は、共振回路５の共振によって伝送用インダクタ１６の２次側巻き線３１に発生する誘導電力（伝送用インダクタ１６から出力された交流）を全波整流する。そして、負荷整流回路６は、全波整流した誘導電力をＬＥＤ光源８に供給する。
換言すると、負荷整流回路６は、誘導電力（伝送用インダクタ１６から出力された交流）を全波波形の脈流（全波波形の直流）に変換する。そして、負荷整流回路６により変換された脈流は、ＬＥＤ光源８に供給される。
【００２９】
なお、ＬＥＤ光源８には、平滑用コンデンサ７が並列に接続されている。その為、負荷整流回路６により変換された脈流は、平滑用コンデンサ７により平滑化され、高周波成分がカットされた状態でＬＥＤ光源８に供給される。すなわち、平滑用コンデンサ７は、ＬＥＤ光源８に直流電流を流すためのものである。
そして、ＬＥＤ光源８は、平滑用コンデンサ７から得られる直流電流により点灯する。
【００３０】
（電流検出抵抗９とインバータ制御回路１０との動作）
電流検出抵抗９は、ＬＥＤ光源８に流れる電流を通電し、電流検出抵抗９の両端の電位差を発生させる。この電位差は、ＬＥＤ光源８に流れる電流に比例し、この電位差を「検出電圧（もしくは抵抗両端電圧）」と称する。
【００３１】
そして、インバータ制御回路１０は、この検出電圧の値を検出する。
インバータ制御回路１０は、検出した検出電圧の値と基準の電圧とを比較する。ここで、基準の電圧は、インバータ制御回路１０の内部で発生してもよいし、インバータ制御回路１０の外部から供給されてもよい。インバータ制御回路１０は検出電圧の値と基準の電圧との比較結果に基づき、インバータ回路４の制御を行うための、所定の周波数と所定のデューティー比との矩形波電圧を生成する。
【００３２】
（一体型インダクタを使用した点灯装置の構成）
ここで、比較の為に、一体型インダクタを使用した点灯装置１００ａの構成を説明する。
図２は、一体型インダクタを使用した点灯装置の構成を示す図である。
なお、図２において、本実施の形態１の回路（図１）と共通する部分については、同一の符号を付して説明する。
【００３３】
まず、図２の構成を説明する。図２において、共振回路５ａの構成以外は、図１と同じである。
図２の共振回路５ａは、第一の共振用コンデンサ１３と一体型インダクタ１４とを備え、第一の共振用コンデンサ１３と一体型インダクタ１４とにより決定される共振特性を有する。ここで、一体型インダクタ１４は、共振用インダクタ１５と伝送用インダクタ１６とから構成される。共振用インダクタ１５は独立した部品ではなく、一体型インダクタ１４のリーケージインダクタである。その為、図１の共振回路５のように、伝送用インダクタ１６の１次側巻き線３０に対し、並列に第二の共振用コンデンサ１７を接続することは不可能である。
【００３４】
図２の共振回路５ａの構成においては、共振用インダクタ１５と伝送用インダクタ１６が一体型インダクタ１４で構成されているため、共振用インダクタ１５のインダクタンス値を得るためには、特殊なコアを使用してリーケージインダクタを生成する必要がある。その為、一体型インダクタ１４が大型になる。
また、共振回路５ａの共振周波数を一般的にＬＥＤの点灯装置で使用している周波数帯域（ＬＥＤ光源８の点灯に使用される周波数帯域）である５０ｋＨｚ〜２００ｋＨｚの範囲に設定するためには、共振用インダクタ１５のインダクタンス値をなるべく大きくする必要がある。そして、大きいインダクタンス値を得るには、一体型インダクタ１４がより大型になる。
また、第一の共振用コンデンサ１３は共振特性にあまり影響を与えないため、共振特性を変化させるためには、共振用インダクタ１５の調整が必要である。しかしながら、一体型インダクタ１４のリーケージインダクタのインダクタンス値を管理するのは非常に困難であり、所望のインダクタンス値に対して公差が大きくなるため、共振回路の設計が困難になる。
【００３５】
（実施の形態１の効果）
前述の図２の構成を踏まえた上で、実施の形態１（図１）の効果を説明する。
【００３６】
図１の共振回路５の構成において、共振用インダクタ１５及び伝送用インダクタ１６は各々が独立した部品に分けられるため、各々に必要な特性のみを考えて設計することが可能になる。その為、所望の共振特性を有する共振回路の設計が容易となる。
特に、伝送用インダクタ１６については、所望なインダクタンス値を得るためにリーケージインダクタを設定するのではなく、インダクタンス値が極小になるよう追及することが出来るため、設計及び製造が容易になる。
また、リーケージインダクタが極小になると、１次側巻き線３０に発生した交流電圧及び電流を２次側巻き線３１に伝送する効率も向上する。
また、伝送用インダクタ１６に、特殊なコアを使用することが不必要になるため、汎用部品の使用も可能になり、流通性に優れた部品で構成し、小型化が可能になる。
【００３７】
更に、特性面での効果を説明する。
図３は、共振回路５の共振特性を示す図である。
図３は、第一の共振用コンデンサ１３及び第二の共振用コンデンサ１７の容量の変化によって、共振特性が変化し、負荷電流が変化する様子を示している。ここで負荷電流とはＬＥＤ光源８を流れる電流である。
第一の共振用コンデンサ１３及び第二の共振用コンデンサ１７の容量が標準値（Ｔｙｐｉｃａｌ値、以下「ＴＹＰ」と表記）の時の共振特性と比較して、第一の共振用コンデンサ１３の容量が−１０％に変化した場合はほぼ同一の共振特性になる。一方、第二の共振用コンデンサ１７の容量が−１０％に変化した場合は、ＴＹＰ時と比べ、異なる共振特性になる。
例えば、周波数１００ｋＨｚの負荷電流で比較すると、第一の共振用コンデンサ１３及び第二の共振用コンデンサ１７がＴＹＰ時は０．７Ａであるのに対して、第二の共振用コンデンサ１７の容量が−１０％になると、負荷電流が１Ａに変化する。なお、負荷電流（もしくは後述の負荷電圧）の周波数を点灯周波数と称する。
これは、図３に示した共振回路５の共振特性が、第二の共振用コンデンサ１７の容量変化に依存しており、第二の共振用コンデンサ１７のみでも共振特性を十分調整することが出来ることを示している。
【００３８】
また、上述した通り、一般的にＬＥＤ点灯装置で使用している周波数帯域である５０ｋＨｚ〜２００ｋＨｚの範囲に共振周波数を設定するためには、共振用インダクタ１５のインダクタンス値をなるべく大きくして調整する必要がある。
そして、図１の共振回路５の構成においては、共振用インダクタ１５のインダクタンス値及び第二の共振用コンデンサ１７で共振周波数を調整することが可能になり、設計が簡易になると同時に、共振用インダクタ１５の小型化も可能になる。
【００３９】
図４は、第二の共振用コンデンサ１７がない場合の負荷インピーダンス変動に対する共振特性を示す図である。
図４は、図２の共振回路５ａの構成において、負荷インピーダンスが変動した場合に共振特性が変化し、負荷電圧が変化する様子を示している。ここで負荷インピーダンスとはＬＥＤ光源８のインピーダンスであり、負荷電圧とは、ＬＥＤ光源８に印加される電圧である。
例えば、点灯周波数が１００ｋＨｚの負荷電圧で比較すると、負荷インピーダンスが２６５Ωの場合、負荷電圧は１００Ｖになるが、負荷インピーダンスが１０ｋΩの場合、負荷電圧は３００Ｖになり、第二の共振用コンデンサ１７がない図２の共振回路５ａの構成においては、共振特性が負荷インピーダンスの変動によって変化してしまう（共振特性が負荷インピーダンスに依存している）ことが分かる。
【００４０】
図５は、第二の共振用コンデンサ１７がある場合の負荷インピーダンス変動に対する共振特性を示す図である。
図５は、図１の共振回路５の構成において、負荷インピーダンスが変動した場合に共振特性が変化し、負荷電圧が変化する様子を示している。
例えば、点灯周波数が１００ｋＨｚの負荷電圧で比較すると、負荷インピーダンスが２６５Ωの場合と負荷インピーダンスが１０ｋΩの場合で、負荷電圧は１００Ｖになり、第二の共振用コンデンサ１７がある図１の共振回路５の構成においては、共振特性が負荷インピーダンスの変動によって変化しない（共振特性が負荷インピーダンスに依存してない）ことが分かる。
すなわち、第二の共振用コンデンサ１７がある図２の共振回路５を構成することで、全光から調光まで負荷インピーダンスの影響を受けない安定した共振特性を得ることが可能である。
【００４１】
実施の形態２．
実施の形態２において、点灯装置の第２の構成を説明する。
本実施の形態２について、主に実施の形態１との差異を説明する。
なお、実施の形態１と共通する部分については、同一の符号を付し、説明を省略する。
【００４２】
図６は、点灯装置の第２の構成を示す図である。
図６の点灯装置１００ｂと図１の点灯装置１００との差異は、インバータ回路４と共振回路５の接続である。
実施の形態１においては、被供給端子５１ａと被供給端子５１ｂとが第二のスイッチング素子１２の出力の両端に接続される例を示したが、実施の形態２では被供給端子５１ａと被供給端子５１ｂとが第一のスイッチング素子１１の出力の両端に接続される例を示す。
換言すると、インバータ回路４の第一のスイッチング素子１１と並列に共振回路５が接続される。
この構成においても、実施の形態１で説明したとおりの効果が得られる。
【００４３】
実施の形態３．
実施の形態３において、点灯装置の第３の構成を説明する。
本実施の形態３について、主に実施の形態１との差異を説明する。
なお、実施の形態１と共通する部分については、同一の符号を付し、説明を省略する。
図７は、点灯装置の第３の構成を示す図である。
図７の点灯装置１００ｃと図１の点灯装置１００との差異は、伝送用インダクタ１６ａと負荷整流回路６ａ（点灯部５０ａ）との構成である。
【００４４】
伝送用インダクタ１６ａの２次側巻き線３１はセンタータップを備える。
伝送用インダクタ１６ａは、１次側巻き線３０に対して、２次側巻き線３１ａが第一の２次側巻き線１８及び第二の２次側巻き線１９の２つの２次側巻き線で構成される。
そして、負荷整流回路６ａは、センタータップを備えた２次側巻き線３１ａと、２次側巻き線３１ａの両端のそれぞれに接続された２つのダイオード素子（第一の負荷整流ダイオード２０及び第二の負荷整流ダイオード２１）とから構成される。
【００４５】
インバータ回路４の第一のスイッチング素子１１がオンし、第二のスイッチング素子１２がオフすると、伝送用インダクタ１６の１次側巻き線３０の巻き始めから巻き終わりの方向で電流が流れる。ここで、１次側巻き線３０の巻き始めとは、１次側巻き線３０の両端のうち、図７で黒点が示されている箇所である。そして、１次側巻き線３０の巻き終わりとは、１次側巻き線３０の両端のうち、図７で黒点が示されていない箇所である。
そして、誘導電力が第一の２次側巻き線１８に生じ、負荷整流回路６ａの第一の負荷整流ダイオード２０の順電圧方向に電圧が印加される。
【００４６】
また、第一のスイッチング素子１１がオフし、第二のスイッチング素子１２がオンすると、逆に、伝送用インダクタ１６の１次側巻き線３０の巻き終わりから巻き始めの方向で電流が流れる。そして、誘導電力が第二の２次側巻き線１９に生じ、負荷整流回路６ａの第二の負荷整流ダイオード２１の順電圧方向に電圧が印加される。
【００４７】
実施の形態３の構成においても、負荷整流回路６ａにおいて、誘導電力を全波波形に整流することが可能であり、負荷整流回路６ａのダイオードの部品点数を削減することで、点灯装置の小型化がより可能になる。
なお、図７において、実施の形態１と同様に被供給端子５１ａと被供給端子５１ｂとが第二のスイッチング素子１２の出力の両端に接続される例を示したが、実施の形態２と同様に被供給端子５１ａと被供給端子５１ｂとが第一のスイッチング素子１１の出力の両端に接続されてもよい。
【００４８】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００４９】
１  商用電源、２  電源整流回路、３  アクティブフィルタ回路、４  インバータ回路、５，５ａ，５ｂ  共振回路、６，６ａ  負荷整流回路、７  平滑用コンデンサ、８  ＬＥＤ光源、９  電流検出抵抗、１０  インバータ制御回路、１１  第一のスイッチング素子、１２  第二のスイッチング素子、１３  第一の共振用コンデンサ、１４  一体型インダクタ、１５  共振用インダクタ、１６，１６ａ  伝送用インダクタ、１７  第二の共振用コンデンサ、１８  第一の２次側巻き線、１９  第二の２次側巻き線、２０  第一の負荷整流ダイオード、２１  第二の負荷整流ダイオード、３０  １次側巻き線、３１，３１ａ  ２次側巻き線、５０，５０ａ  点灯部、５１ａ，５１ｂ  被供給端子、１００，１００ａ〜１００ｃ  点灯装置、２００  照明器具。
【図１】
2014099309.tif 000003
【図２】
2014099309.tif 000004
【図３】
2014099309.tif 000005
【図４】
2014099309.tif 000006
【図５】
2014099309.tif 000007
【図６】
2014099309.tif 000008
【図７】
2014099309.tif 000009